(57)【要約】【課題】従来よりも少量の延焼防止剤で延焼を防止することが可能な植物性屋根用の延焼防止装置を提供する。【解決手段】  添加剤によって粘度が高められた延焼防止剤Ａを貯蔵する薬剤容器２と、薬剤容器２内の延焼防止剤Ａを加圧して押し出す加圧装置３と、加圧装置３によって延焼防止剤Ａが加圧された際に、延焼防止剤Ａを放出すると共に、左右方向に走査する放射ノズル４，７，８と、を備える植物性屋根Ｔ向け延焼防止装置１において、放射ノズル４，７，８は、植物性屋根Ｔの軒先Ｔ１から棟Ｔ２へ向けて段階的に上方に走査するものにするか、植物性屋根Ｔの軒先Ｔ１から棟Ｔ２へ向けて段階的に勢いが強くなる様に延焼防止剤Ａを放出するものとする。【選択図】図３
2019024722.tif 000002
【特許請求の範囲】
【請求項１】
植物性屋根向け延焼防止装置であって、
添加剤によって粘度が高められた延焼防止剤を貯蔵する薬剤容器と、
該薬剤容器内の該延焼防止剤を加圧して押し出す加圧装置と、
該加圧装置によって該延焼防止剤が加圧された際に、該延焼防止剤を略棒状に放出すると共に、左右方向に走査する放射ノズルと、を備え、
該放射ノズルは、該植物性屋根の軒先から棟へ向けて段階的に上方に走査することを特徴とする植物性屋根向け延焼防止装置。
【請求項２】
植物性屋根向け延焼防止装置であって、
添加剤によって粘度が高められた延焼防止剤を貯蔵する薬剤容器と、
該薬剤容器内の該延焼防止剤を加圧して押し出す加圧装置と、
該加圧装置によって該延焼防止剤が加圧された際に、該延焼防止剤を側面視略扇状に放出すると共に、左右方向に走査する放射ノズルと、を備え、
該放射ノズルは、該植物性屋根の軒先から棟へ向けて段階的に勢いが強くなる様に該延焼防止剤を放出することを特徴とする植物性屋根向け延焼防止装置。
【請求項３】
植物性屋根向け延焼防止装置であって、
添加剤によって粘度が高められた延焼防止剤を貯蔵する薬剤容器と、
該薬剤容器内の該延焼防止剤を加圧して押し出す加圧装置と、
該加圧装置によって該延焼防止剤が加圧された際に、該延焼防止剤を略棒状に放出すると共に、左右方向に走査する複数の放射部を有する放射ノズルと、を備え、
該放射ノズルは、該植物性屋根の軒先から棟へ向けて段階的に勢いが強くなる様に該延焼防止剤を放出すると共に、各該放射部の放射角度を調整可能な可動手段を設けたことを特徴とする植物性屋根向け延焼防止装置。
【請求項４】
前記放射ノズルは、前記軒先から前記棟へ向けて段階的に放出流量、放出圧力及び放出速度の少なくとも１つが大きくなる様に該延焼防止剤を放出することを特徴とする請求項２又は３に記載の植物性屋根向け延焼防止装置。
【請求項５】
前記延焼防止剤は、チキソトロピー性を有していることを特徴とする請求項１乃至４の何れかに記載の植物性屋根向け延焼防止装置。
【発明の詳細な説明】
【技術分野】
【０００１】
本発明は、延焼防止装置に関し、より詳細には、植物性屋根向けの延焼防止装置に関する。
【背景技術】
【０００２】
茅葺屋根等の植物性屋根は、その材料の特性上、非常に燃焼し易いことが知られている。周囲で火災が発生した場合、その火災の飛び火が植物性屋根にかかると容易に延焼してしまう。この延焼を防止するために延焼防止装置が用いられている。
【０００３】
例えば、特許文献１には、延焼防止剤として水を使用し、植物性屋根を備える建物の外部に設置され、該建物の上部より上方に向けて放水すると共に搖動する放水装置を用いて水を散布することによって、該建物を覆うように山なりの放水幕を形成し、該建物の延焼を防止する延焼防止装置が記載されている。
【先行技術文献】
【特許文献】
【０００４】
【特許文献１】特開平６−２７７３０９号公報
【発明の概要】
【発明が解決しようとする課題】
【０００５】
水は、比較的粘性が低いため植物性屋根に沿って流れ落ちたり、植物性屋根を構成する茅等の植物性屋根材の隙間から下方に流れ落ちたりしてしまうため、植物性屋根の表面に留め置くことが困難である。そのため、従来の延焼防止装置においては、延焼を防止している間、常に延焼防止剤である水を植物性屋根に向けて散布し、放水幕を形成し続ける必要があり、そのための大量の水を貯留することのできる貯水槽が必要であるという問題があった。建物のある場所によっては、この様な貯水槽を設けることが困難な場合すらある。
【０００６】
そこで、本発明は、従来よりも少量の延焼防止剤で延焼を防止することが可能な植物性屋根用の延焼防止装置を提供することを目的とする。
【課題を解決するための手段】
【０００７】
本発明は、植物性屋根向け延焼防止装置であって、添加剤によって粘度が高められた延焼防止剤を貯蔵する薬剤容器と、該薬剤容器内の該延焼防止剤を加圧して押し出す加圧装置と、該加圧装置によって該延焼防止剤が加圧された際に、該延焼防止剤を略棒状に放出すると共に、左右方向に走査する放射ノズルと、を備え、該放射ノズルは、該植物性屋根の軒先から棟へ向けて段階的に上方に走査することを特徴とする植物性屋根向け延焼防止装置である。
【０００８】
又、本発明は、植物性屋根向け延焼防止装置であって、添加剤によって粘度が高められた延焼防止剤を貯蔵する薬剤容器と、該薬剤容器内の該延焼防止剤を加圧して押し出す加圧装置と、該加圧装置によって該延焼防止剤が加圧された際に、該延焼防止剤を側面視略扇状に放出すると共に、左右方向に走査する放射ノズルと、を備え、該放射ノズルは、該植物性屋根の軒先から棟へ向けて段階的に勢いが強くなる様に該延焼防止剤を放出することを特徴とする植物性屋根向け延焼防止装置である。
【０００９】
又、本発明は、植物性屋根向け延焼防止装置であって、添加剤によって粘度が高められた延焼防止剤を貯蔵する薬剤容器と、該薬剤容器内の該延焼防止剤を加圧して押し出す加圧装置と、該加圧装置によって該延焼防止剤が加圧された際に、該延焼防止剤を略棒状に放出すると共に、左右方向に走査する複数の放射部を有する放射ノズルと、を備え、該放射ノズルは、該植物性屋根の軒先から棟へ向けて段階的に勢いが強くなる様に該延焼防止剤を放出すると共に、各該放射部の放射角度を調整可能な可動手段を設けたことを特徴とする植物性屋根向け延焼防止装置である。
【００１０】
尚、本発明は、前記放射ノズルを、前記軒先から前記棟へ向けて段階的に放出流量、放出圧力及び放出速度の少なくとも１つが大きくなる様に該延焼防止剤を放出することができるものとすることができる。又、本発明は、前記延焼防止剤を、チキソトロピー性を有しているものとすることが可能である。
【発明の効果】
【００１１】
本発明は、添加剤によって粘度が高められた延焼防止剤を、植物性屋根の内部まで浸透させることが可能であると共に該延焼防止剤は、自身の粘性によって、植物性屋根に留まることが可能であるため従来よりも少量の延焼防止剤で延焼防止が可能である。
【図面の簡単な説明】
【００１２】
【図１】本発明の第１乃至第３実施形態を示す略図であり、（ａ）側が常時の状態を、（ｂ）側が作動時の状態を示す。
【図２】本発明の第１乃至第３実施形態を示す図であり、延焼防止装置の配置を示す俯瞰図である。
【図３】本発明の第１乃至第３実施形態を示す図であり、延焼防止剤の放出の様子を示す略図である。
【図４】本発明の第１乃至第３実施形態を示す図であり、（Ａ）が第１実施形態における放射ノズルを示す図であり、（Ｂ）が第２実施形態における放射ノズルを示す図であり、（Ｃ）第３実施形態における放射ノズルを示す図である。
【発明を実施するための形態】
【００１３】
本発明の第１実施形態を図１乃至図３及び図４（Ａ）に基づき説明する。先ず、延焼防止装置１の構成について説明する。延焼防止装置１は、薬剤容器２と、加圧装置３と、放射ノズル４とを備えており、延焼を防止する対象である植物性屋根Ｔを備えた建物Ｂの周囲に設置されている。本実施形態においては、延焼防止装置１は、植物性屋根Ｔの各面ＴＡ，ＴＢ，ＴＣ，ＴＤの各々に対向する位置に複数設けられていると共に各延焼防止装置１Ａ，１Ｂ，１Ｃ，１Ｄが連動して動作する様になっている。
【００１４】
薬剤容器２は、延焼防止剤Ａを貯蔵するために設けられており、加圧装置３と接続されている。加圧装置３は、薬剤容器２内の延焼防止剤Ａを加圧して押し出し、放射ノズル４より放出するために設けられている。本実施形態において、薬剤容器２及び加圧装置３は、地面Ｇに埋められている。
【００１５】
延焼防止剤Ａは、添加剤によって粘度が高められており、少なくとも植物性屋根Ｔに散布された際に、植物性屋根Ｔに留まることができる程度の高い粘性を有している。延焼防止剤Ａとしては、例えば、吸水性ポリマーを含有する公知のゲル消火剤等を適宜選択可能であるが、本実施形態の様にコロイド性含水ケイ酸塩（スメクタイト、ベントナイトやモンモリロナイト等の鉱物又はそれに類する無機高分子化合物）を含有するものが好適である。
【００１６】
本実施形態においては、延焼防止剤Ａは、前記添加剤であるコロイド性含水ケイ酸塩を、水に分散させたものとなっており、コロイド性含水ケイ酸塩の性質によって、チキソトロピー性が付与されており、加圧装置３によって加圧され、放射ノズル４から放射される際にはゾル状の粘性の低い状態であり、植物性屋根Ｔに散布され静止した際にゲル化をすることで植物性屋根Ｔに留まることができる程度の高い粘性となるようになっている。
【００１７】
放射ノズル４は、延焼防止剤Ａを植物性屋根Ｔに向けて放射するために設けられている。放射ノズル４は、延焼防止剤Ａが加圧装置３によって加圧された際に、延焼防止剤Ａを略棒状に放出可能となっており、平面視略扇状の放出範囲Ｓに対して延焼防止剤Ａを放出できる様に、鉛直方向へと上下動可能且つ左右方向に走査可能に設けられていると共に加圧装置３が起動した際に、延焼防止剤Ａの放射角度を調整するための可動手段（図示せず）を有している。本実施形態において、放射ノズル４は、起動ボタン５が設けられた収容箱６内に収納されている。
【００１８】
起動ボタン５は、加圧装置３を起動する起動手段として設けられている。本実施形態においては、何れかの起動ボタン５が押されることで、全ての加圧装置３が起動する様になっており、各延焼防止装置１Ａ，１Ｂ，１Ｃ，１Ｄの起動ボタン５は、有線によって接続されている。加圧装置３の起動手段は、任意のものを適宜選択することができ、無線によって各起動手段が連動する様にしてもよい。尚、起動ボタン５が押された際に、全ての加圧装置３を連動して起動させるか、任意の加圧装置３のみを起動させる様にするかは、必要に応じて、適宜選択可能である。又、収容箱６は、地面Ｇに半分埋められた状態で設けられている。
【００１９】
次に、延焼防止装置１を用いた延焼防止の手順について説明する。
（１）起動ボタン５を押し、加圧装置３を起動させる。加圧装置３の起動と並行して、放射ノズル４は、前記可動手段によって植物性屋根Ｔの方向へと向けられると共に所定の初期位置まで鉛直方向に移動する。この際、各延焼防止装置１Ａ，１Ｂ，１Ｃ，１Ｄが連動して動作をする。
【００２０】
（２）放射ノズル４は、左右を走査しながら、植物性屋根Ｔの軒先Ｔ１及びその近傍に延焼防止剤Ａ１を棒状に放出し散布する。
【００２１】
（３）更に、放射ノズル４は、左右を走査しながら、前記可動手段によって、延焼防止剤Ａの放射角度を変えることで、延焼防止剤Ａ２、延焼防止剤Ａ３の順に放出を行い、軒先Ｔ１から棟Ｔ２に向けて段階的に上方に向けて走査をしていき、植物性屋根Ｔの略全体に亘って延焼防止剤Ａを散布する。
【００２２】
（４）散布された延焼防止剤Ａは、植物性屋根Ｔを構成する植物性屋根材間の隙間に浸透し、その場で静止する。静止した延焼防止剤Ａは、自身のチキソトロピー性によって、ゲル化してその場に留まり、延焼防止装置１は、植物性屋根Ｔの略全面に亘って、延焼防止剤Ａからなる防火層Ｐが段階的に形成される。
【００２３】
そのため、周囲の火災の飛び火が植物性屋根Ｔにかかったとしても防火層Ｐによって阻まれ、植物性屋根Ｔにまでは届かず、延焼を防止することが可能となる。ここで、延焼防止剤Ａは、棒状に放出されることが重要となる。棒状に放出された延焼防止剤Ａには勢いがあるため、風に煽られても霧散せずに目標へと届かせることが可能となると共に植物性屋根材間の隙間により確実に延焼防止剤Ａを入り込ませることが可能となる。
【００２４】
又、延焼防止剤Ａは、軒先Ｔ１から棟Ｔ２に向けて段階的に上方に放出されることも重要となる。仮に、延焼防止剤Ａを、棟Ｔ２から軒先Ｔ１に向けて段階的に下方に放出した場合、植物性屋根材間の隙間が満杯になり溢れだした延焼防止剤Ａは、植物性屋根Ｔに沿って流れ落ちることとなるが、流れ落ちた延焼防止剤Ａが植物性屋根材間の隙間の蓋の様な役割をしてしまい後から放出された延焼防止剤Ａが該間隙内に浸透するのを阻害してしまうため、延焼防止効果が損なわれるためである。
【００２５】
この際、延焼防止剤Ａが、コロイド性含水ケイ酸塩を含有することが好適である。先ず、放射時には、ゾル化しており、低粘性の状態にあるため、高出力の加圧装置３を用いずとも延焼防止剤Ａを放射することができる。
【００２６】
又、吸水性高分子を含有する延焼防止剤においては、該高分子が保持する水分が蒸発してしまうと、延焼防止効果が極端に低下するが、コロイド性含水ケイ酸塩そのものが不燃性であるため、周囲の熱で延焼防止剤Ａの水分が蒸発してしまってもある程度の延焼防止効果が期待できる。
【００２７】
更に、植物性屋根Ｔを有する建物Ｂは、文化財であることが多いが、周囲の火災が鎮火された後に、コロイド性含水ケイ酸塩は、容易に水等によって洗い流すことができ、必要以上に文化財を傷めることを防止することが可能である。
【００２８】
従って、本実施形態においては、高い粘性を有している延焼防止剤Ａを、植物性屋根Ｔを構成する植物性屋根材の間に、留めることができるので、従来よりも少量の延焼防止剤Ａで植物性屋根Ｔの延焼を防止することが可能となっている。
【００２９】
本発明の第２実施形態について図１乃至３及び図４（Ｂ）に基づき説明する。第１実施形態との相違は、放射ノズル４の代わりに、側面視扇状に放出する放射ノズル７を採用した点である。他の構成については、同実施形態と同様であるので説明は省略する。
【００３０】
放射ノズル７は、延焼防止剤Ａを側面視略扇状であって、平面視略棒状に放射可能になっており、放射ノズル７を、左右に走査することで、延焼防止装置１は、植物性屋根Ｔの面の略全面に亘って延焼防止剤Ａを散布することが可能となっている。又、放射ノズル７は、延焼防止剤Ａの放出流量の異なる複数の放出孔、例えば、近距離用放出孔７ａ、中距離用放出孔７ｂ、遠距離用放出孔７ｃを備えている。延焼防止剤Ａの放出流量は、近距離用放出孔７ａ、中距離用放出孔７ｂ、遠距離用放出孔７ｃの順に多くなる様になっている。
【００３１】
側面視扇状に放射された延焼防止剤Ａは、風によって煽られ易いため、ある程度勢いよく放出する必要があるが、植物性屋根Ｔは、通常、放射ノズル７から軒先Ｔ１までの距離と放射ノズル７から棟Ｔ２までの距離との間の差が大きいため、棟Ｔ２に届く様に延焼防止剤Ａの勢いを調整すると、軒先Ｔ１に対しては勢いが強すぎることになり、軒先Ｔ１が破損する可能性がある。逆に、軒先Ｔ１が破損する可能性のない勢いに調整すると、延焼防止剤Ａが棟Ｔ２に届かない可能性がある。
【００３２】
そのため、放射ノズル７は、延焼防止剤Ａを、植物性屋根Ｔの軒先Ｔ１から棟Ｔ２へ向けて段階的に勢いが強くなる様に延焼防止剤Ａを放出できる様になっている。本実施形態においては、近距離用放出孔７ａより、植物性屋根Ｔの軒先Ｔ１及びその近傍に向かって放出された延焼防止剤Ａ１、中距離用放出孔７ｂより放出され、延焼防止剤Ａ１と延焼防止剤Ａ３の間に位置する延焼防止剤Ａ２、遠距離用放出孔７ｃより、植物性屋根Ｔの棟Ｔ２及びその近傍に向かって放出された延焼防止剤Ａ３、の順に放出流量を多くすることによって、植物性屋根Ｔの軒先Ｔ１から棟Ｔ２へ向けて段階的に延焼防止剤Ａの勢いが強くなる様になっている。
【００３３】
尚、本実施形態の様に、植物性屋根Ｔの略全体に亘って一遍に延焼防止剤Ａを放射することで、前述の延焼防止剤Ａ自身が、延焼防止剤Ａが植物性屋根Ｔに浸透することを阻害することを防止できると共に速やかに植物性屋根Ｔの略全体に亘って防火層Ｐを形成することができる様になっている。
【００３４】
本発明を、上記実施形態により説明したが、本発明は、上記実施形態に限定されるものではなく、発明の要旨を変更しない範囲で適宜変更可能である。
【００３５】
（ｉ）上記第２実施形態において、放射ノズル７に複数の放出孔７ａ，７ｂ，７ｃを設けることで延焼防止剤Ａの勢い（放出流量）を調整したが、本発明の第３実施形態（図１乃至３及び図４（Ｃ）を参照、他の構成については、第１及び第２実施形態と同様である）の様に放出流量の異なる複数の放射部、例えば、近距離放射部８ａ、中距離放射部８ｂ及び遠距離放射部８ｃを有する放射ノズル８を設け、植物性屋根Ｔの軒先Ｔ１から棟Ｔ２に向けて段階的に延焼防止剤Ａの勢い（放出流量）が強くなる様に調整してもよい。この際、放出ノズル８に放射部８ａ，８ｂ，８ｃの放射角度を調整可能な可動手段（図示せず）を設けてもよい。可動手段を設けることにより、各放射部８ａ，８ｂ，８ｃの放射角度を独立して調整できるので、植物性屋根Ｔの大きさや傾斜角に応じて、放射ノズル７を複数作成する必要がなく、様々な屋根に対応することが可能となる。
【００３６】
（ii）上記第２及び第３実施形態において、延焼防止剤Ａの放出流量を調整することで、延焼防止剤Ａの勢いを調整したが、複数の加圧装置（図示せず）を設ける等をし、延焼防止剤Ａの放出圧力や放出速度を調整することで延焼防止剤Ａの勢いを調整してもよい。
【００３７】
（iii）上記第１実施形態において、延焼防止剤Ａの放射角度を変えることで、延焼防止剤Ａ１、延焼防止剤Ａ２、延焼防止剤Ａ３と放出していったが、放射ノズル４の高さを変えて、延焼防止剤Ａ１、延焼防止剤Ａ２、延焼防止剤Ａ３と放出する様にしてもよい。
【符号の説明】
【００３８】
１  延焼防止装置、２  薬剤容器、３  加圧装置、４  放射ノズル、５  起動ボタン、６  収容箱、７  放射ノズル、７ａ  近距離用放出孔、７ｂ  中距離用放出孔、７ｃ  遠距離用放出孔、８  放射ノズル、８ａ  近距離放射部、８ｂ  中距離放射部、８ｃ  遠距離放射部、Ａ  延焼防止剤、Ｂ  建物、Ｇ  地面、Ｐ  防火層、Ｓ  放出範囲、Ｔ  植物性屋根、Ｔ１  軒先、Ｔ２  棟
【図１】
2019024722.tif 000003
【図２】
2019024722.tif 000004
【図３】
2019024722.tif 000005
【図４】
2019024722.tif 000006